(57)【特許請求の範囲】
【請求項１】
アナログ放送およびデジタル放送を受信するための受信機であって、
位相が互いに直交する第１および第２の局部発振信号により、受信信号を、位相が互いに直交する第１および第２の中間周波信号に周波数変換する第１および第２のミキサ回路と、
これら第１および第２のミキサ回路の出力信号から上記第１および第２の中間周波信号を取り出す第１および第２のフィルタ回路と、
この第１および第２のフィルタ回路により取り出された上記第１および第２の中間周波信号から上記アナログ放送における放送内容の信号を取り出す復調回路と、
上記第１および第２のフィルタ回路により取り出された上記第１および第２の中間周波信号から上記デジタル放送における放送内容の信号を取り出す復調回路と
を有し、
上記アナログ放送の受信時には、上記第１および第２の局部発振信号の周波数を、上記受信信号のキャリア周波数よりも上記第１および第２の中間周波信号の中間周波数だけ離れた周波数とするとともに、
上記第１および第２のフィルタ回路を、上記第１および第２の中間周波信号の中間周波数に等しい中心周波数のバンドパス特性とし、
上記デジタル放送の受信時には、上記第１および第２の局部発振信号の周波数を、上記受信信号の中心周波数に等しい周波数とするとともに、
上記第１および第２のフィルタ回路を、上記第１および第２の中間周波信号を通過させるローパス特性とする
ようにした受信機。
【請求項２】
請求項１に記載の受信機において、
上記デジタル放送の受信時に上記第１および第２の中間周波信号からその直流オフセット電圧を取り出す回路と、
上記取り出された直流オフセット電圧により、上記第１および第２の中間周波信号における直流オフセットを補正する回路と
を有する受信機。
【請求項３】
アナログ放送およびデジタル放送を受信するための受信機であって、
位相が互いに直交する１対の第１局部発振信号により、受信信号を、位相が互いに直交する１対の第１中間周波信号に周波数変換する１対の第１ミキサ回路と、
この１対の第１ミキサ回路の出力信号から上記１対の第１中間周波信号を取り出す１対の第１のフィルタ回路と、
この１対の第１のフィルタ回路により取り出された上記１対の第１中間周波信号を、位相が互いに直交する１対の第２局部発振信号により、位相が互いに同相および逆相の１対の第２中間周波信号に周波数変換する２対の第２ミキサ回路と、
この２対の第２ミキサ回路のうち、一方の１対の第２ミキサ回路の出力信号を互いに加算する加算回路と、
上記２対の第２ミキサ回路のうち、他方の１対の第２ミキサ回路の出力信号を互いに減算する減算回路と、
上記加算回路および上記減算回路の出力信号から１対の上記第２中間周波信号をそれぞれ取り出す１対の第２のフィルタ回路と、
この１対の第２のフィルタ回路により取り出された１対の上記第２中間周波信号から上記アナログ放送あるいは上記デジタル放送における放送内容を復調する復調回路と
を有し、
上記アナログ放送の受信時には、上記１対の第１局部発振信号の周波数を、上記受信信号のキャリア周波数よりも上記１対の第１中間周波信号の中間周波数だけ離れた周波数とするとともに、
上記１対の第１のフィルタ回路を、上記１対の第１中間周波信号の中間周波数に等しい中心周波数のバンドパス特性とし、
上記デジタル放送の受信時には、上記１対の第１局部発振信号の周波数を、上記受信信号の中心周波数に等しい周波数とするとともに、
上記１対の第１のフィルタ回路を、上記１対の第１中間周波信号を通過させるローパス特性とする
ようにした受信機。
【請求項４】
請求項３に記載の受信機において、
上記デジタル放送の受信時に、上記１対の第１中間周波信号からその直流オフセット電圧をそれぞれ取り出す１対の積分回路と、
上記取り出された直流オフセット電圧により、上記１対の第１中間周波信号における直流オフセットを補正する１対の回路と
を有する受信機。
【請求項５】
請求項４に記載の受信機において、
上記デジタル放送の受信時には、上記１対の第２局部発振信号が、上記１対の第１局部発振信号の周波数ドリフト分に等しいで周波数である
ようにした受信機。
【請求項６】
アナログ放送およびデジタル放送を受信するためのＩＣであって、
位相が互いに直交する第１および第２の局部発振信号により、受信信号を、位相が互いに直交する第１および第２の中間周波信号に周波数変換する第１および第２のミキサ回路と、
これら第１および第２のミキサ回路の出力信号から上記第１および第２の中間周波信号を取り出す第１および第２のフィルタ回路と
を有し、
上記アナログ放送の受信時には、上記第１および第２の局部発振信号の周波数を、上記受信信号のキャリア周波数よりも上記第１および第２の中間周波信号の中間周波数だけ離れた周波数とするとともに、
上記第１および第２のフィルタ回路を、上記第１および第２の中間周波信号の中間周波数に等しい中心周波数のバンドパス特性とし、
上記デジタル放送の受信時には、上記第１および第２の局部発振信号の周波数を、上記受信信号の中心周波数に等しい周波数とするとともに、
上記第１および第２のフィルタ回路を、上記第１および第２の中間周波信号を通過させるローパス特性とする
ようにしたＩＣ。
【発明の詳細な説明】
【０００１】
【発明の属する技術分野】
この発明は、アナログ放送およびデジタル放送を受信するための受信機およびそのＩＣに関する。
【０００２】
【従来の技術】
現行のＡＭ放送やＦＭ放送においては、放送される素材の処理はデジタル化されつつあるが、放送そのものはアナログ方式である（以下、このアナログ方式の放送を「アナログ音声放送」と呼ぶ）。
【０００３】
しかし、放送をデジタル化すれば、高音質の放送を提供できる、付加データサービスなどが可能になる、周波数利用効率を改善できるなどの理由で、放送そのものもデジタル化するデジタル音声放送（ＤＳＢ）が考えられている。
【０００４】
このデジタル音声放送として、ヨーロッパではＤＡＢ（Ｅｕｒｅｋａ１４７規格にしたがったデジタル音声放送）が採用されているが、日本ではＩＳＤＢ−Ｔが提案されている。
【０００５】
なお、このＩＳＤＢ−Ｔは、狭帯域ＩＳＤＢ−Ｔ、モード１のとき、
伝送帯域幅      ：436 ｋHz
キャリア間隔    ：４ｋHz
キャリア数      ：109
キャリア変調方式：16ＱＡＭ、64ＱＡＭ、ＱＰＳＫ、ＤＱＰＳＫ
多重方式        ：ＭＰＥＧ２
情報レート      ：283.1kbps 〜1651.4kbps
を採用することにより、複数チャンネルのデジタルオーディオデータやデジタルデータを同時に放送するものである。
【０００６】
そして、このデジタル音声放送は、アナログ音声放送、特にＦＭ放送と同じ周波数帯に混在させることも予定されている。例えば、ヨーロッパや日本においては、現行のＶＨＦのテレビ放送の空きチャンネルの使用が予定されている。
【０００７】
【発明が解決しようとする課題】
ところで、アナログ音声放送の受信機として、受信信号を位相が互いに直交するＩ軸およびＱ軸の中間周波信号に周波数変換し、この中間周波信号を移相処理および演算処理することにより、イメージ信号を除去するようにした受信機がある（例えば、IEEE Transactions on Consumer Electronics, Vol.38,No.3, AUGUST 1992, P.465〜475 ）。
【０００８】
このように構成すると、中間周波数を低くすることができるので、中間周波フィルタをＩＣ化することができ、したがって、受信機全体を１チップＩＣ化することができる。
【０００９】
そこで、デジタル音声放送の受信機も同様に構成することが考えられる。しかし、デジタル音声放送の受信機は、アナログ音声放送の受信機よりも優れた妨害排除能力を必要とする。そして、上記の方法によりイメージ信号を除去する受信機を大量生産した場合、現在の半導体技術では、イメージ排除能力は35dB〜40dBが限界であり、これではデジタル音声放送の受信機の場合、イメージ妨害特性が不足である。
【００１０】
そこで、周波数変換時に中間周波数を０とする受信方式、すなわち、ダイレクトコンバージョン方式により、イメージ信号そのものを生じないようにした受信機も考えられている。しかし、アナログ音声放送における放送波信号は、キャリア信号が多くのエネルギを持ち、キャリア信号を除くと大きな歪みを発生してしまう。したがって、ダイレクトコンバージョンの場合には、直流増幅と、直流オフセットとに問題を生じてしまう。
【００１１】
また、デジタル音声放送は、アナログ音声放送よりも占有周波数帯域が広い。さらに、ヨーロッパや日本においては、デジタル音声放送は現行のＶＨＦのテレビ放送の空きチャンネルを使用するので、デジタル音声放送波に隣接して強力なテレビ放送波が存在することになる。そして、上記のように、デジタル音声放送の受信機は、アナログ音声放送の受信機よりも妨害排除能力に対する要求が厳しい。
【００１２】
この発明は、アナログ音声放送とデジタル音声放送とを１つの受信回路により受信できるようにするとともに、そのＩＣ化を実現しようとするものである。そして、そのとき、上記のような問題点を解決しようとするものである。
【００１３】
【課題を解決するための手段】
この発明においては、
アナログ放送およびデジタル放送を受信するための受信機であって、
位相が互いに直交する第１および第２の局部発振信号により、受信信号を、位相が互いに直交する第１および第２の中間周波信号に周波数変換する第１および第２のミキサ回路と、
これら第１および第２のミキサ回路の出力信号から上記第１および第２の中間周波信号を取り出す第１および第２のフィルタ回路と、
この第１および第２のフィルタ回路により取り出された上記第１および第２の中間周波信号から上記アナログ放送における放送内容の信号を取り出す復調回路と、
上記第１および第２のフィルタ回路により取り出された上記第１および第２の中間周波信号から上記デジタル放送における放送内容の信号を取り出す復調回路と
を有し、
上記アナログ放送の受信時には、上記第１および第２の局部発振信号の周波数を、上記受信信号のキャリア周波数よりも上記第１および第２の中間周波信号の中間周波数だけ離れた周波数とするとともに、
上記第１および第２のフィルタ回路を、上記第１および第２の中間周波信号の中間周波数に等しい中心周波数のバンドパス特性とし、
上記デジタル放送の受信時には、上記第１および第２の局部発振信号の周波数を、上記受信信号の中心周波数に等しい周波数とするとともに、
上記第１および第２のフィルタ回路を、上記第１および第２の中間周波信号を通過させるローパス特性とする
ようにした受信機
とするものである。
したがって、アナログ放送はスーパーヘテロダイン方式により受信され、デジタル放送はダイレクトコンバージョン方式により受信される。
【００１４】
【発明の実施の形態】
図１および図２は、この発明を、デジタル音声放送およびアナログ音声放送として狭帯域ＩＳＤＢ−ＴおよびＦＭ放送を受信する受信機に適用した場合の一例を示す。なお、図１および図２は、紙面の都合で、その受信回路を分割して示し、図１の右側が図２の左側に続く。
【００１５】
〔狭帯域ＩＳＤＢ−Ｔ受信機としての構成および動作〕
狭帯域ＩＳＤＢ−Ｔの受信時には、図１および図２の受信回路は、ダイレクトコンバージョン方式の受信回路の構成および動作となる。すなわち、狭帯域ＩＳＤＢ−Ｔの放送波がアンテナ１１により受信され、この受信信号が電子同調方式のアンテナ同調回路１２に供給され、例えば図３Ａに示すように、目的とする周波数の受信信号ＳRXが取り出され（この受信信号ＳRXの中心周波数を周波数ｆRXとする）、この信号ＳRXがＡＧＣ用の可変利得アンプ１３および電子同調方式の段間同調回路１４を通じて第１ミキサ回路１５Ｉ、１５Ｑに供給される。
【００１６】
また、ＰＬＬ３１において所定の周波数の発振信号が形成され、この発振信号が分周回路３２に供給され、図３Ａに示すように、受信信号ＳRXの中心周波数ｆRXに等しく、かつ、位相が互いに90°異なる２つの信号ＳLO1I、ＳLO1Qに分周され、この信号ＳLO1I、ＳLO1Qがミキサ回路１５Ｉ、１５Ｑに第１局部発振信号として供給される。
【００１７】
こうして、ミキサ回路１５Ｉ、１５Ｑにおいて、受信信号ＳRXは、図３Ｂに示すように、もとの中心周波数ｆRXが０となる中間周波信号（ベースバンド信号）Ｓ1I、Ｓ1Qに周波数変換される。
【００１８】
この場合、受信信号ＳRXの中心周波数ｆRXと、第１局部発振周波数とが等しいので、中間周波信号Ｓ1I、Ｓ1Qにおいては、受信信号ＳRXのうち、中心周波数ｆRXよりも低域側の信号成分と、中心周波数ｆRXよりも高域側の信号成分とが重なり、その占有帯域は、もとの受信信号ＳRXの1/2 となる。さらに、信号Ｓ1I、Ｓ1Qは、Ｉ軸およびＱ軸の直交信号である。
【００１９】
また、このとき、ＰＬＬ３１から、そのＶＣＯ（図示せず）の可変容量ダイオードに供給される制御電圧の一部が取り出され、この制御電圧が同調回路１２、１４に同調電圧として供給され、受信信号ＳRXに対する同調が実現される。
【００２０】
そして、ミキサ回路１５Ｉ、１５Ｑからの信号Ｓ1I、Ｓ1Qが、ローパスフィルタ１６Ｉ、１６Ｑに供給される。このローパスフィルタ１６Ｉ、１６Ｑは例えば図３Ｂに示すように、信号Ｓ1I、Ｓ1Q（および後述するＦＭ受信時の中間周波信号Ｓ1I、Ｓ1Q）を通過させる特性を有するものである。したがって、信号Ｓ1I、Ｓ1Qは、フィルタ１６Ｉ、１６Ｑにおいて、隣接妨害波信号のように帯域外の不要な信号成分が除去されてフィルタ１６Ｉ、１６Ｑから取り出される。
【００２１】
続いて、このフィルタ１６Ｉ、１６Ｑからの中間周波信号Ｓ1I、Ｓ1Qが、減算回路１８Ｉ、１８Ｑを通じ、さらに、ＩＳＤＢ−Ｔの受信時にはデジタル側接点Ｄに接続されているスイッチ回路２１Ｉ、２１Ｑを通じてＡＧＣ用の可変利得アンプ２２Ｉ、２２Ｑに供給される。
【００２２】
そして、これらアンプ２２Ｉ、２２Ｑから出力される中間周波信号Ｓ1I、Ｓ1Qが積分回路１９Ｉ、１９Ｑに供給され、アンプ２２Ｉ、２２Ｑにおいて生じる直流オフセット電圧Ｖ19I 、Ｖ19Q が取り出され、この電圧Ｖ19I 、Ｖ19Q が減算回路１８Ｉ、１８Ｑに供給される。こうして、アンプ２２Ｉ、２２Ｑに供給される中間周波信号Ｓ1I、Ｓ1Qの直流レベルが制御されてアンプ２２Ｉ、２２Ｑにおいて生じる直流オフセットがそれぞれキャンセルされ、アンプ２２Ｉ、２２Ｑからは直流オフセットのない信号Ｓ1I、Ｓ1Qが取り出される。
【００２３】
続いて、このアンプ２２Ｉ、２２Ｑからの中間周波信号Ｓ1I、Ｓ1Qが、Ａ／Ｄコンバータ回路２３Ｉ、２３Ｑに供給されてデジタル中間周波信号Ｓ1I、Ｓ1QにＡ／Ｄ変換され、このＡ／Ｄ変換後の信号Ｓ1I、Ｓ1Qが第２ミキサ回路（２４ＩＩ、２４ＩＱ）、（２４ＱＱ、２４ＱＩ）に供給される。なお、このミキサ回路２４ＩＩ〜２４ＱＩおよびその後段は、実際にはＤＳＰにより構成されるものであるが、図２においては、アナログ回路により等価的に示している。
【００２４】
また、第２局部発振回路３６において、第１局部発振信号ＳLO1I、ＳLO1Qの周波数ドリフト分に等しいで周波数で、位相が互いに90°異なる第２局部発振信号ＳLO2I、ＳLO2Qが形成され、これら信号ＳLO2I、ＳLO2Qが、ミキサ回路２４ＩＩ、２４ＱＱに供給される。
【００２５】
したがって、ミキサ回路２４ＩＩ、２４ＱＱにおいて、中間周波信号Ｓ1I、Ｓ1Qは、周波ドリフトのないベースバンドの信号、すなわち、中間周波数が０の第２中間周波信号ＳII、ＳQQに周波数変換される。また、このとき、例えば、中間周波信号ＳII、ＳQQに含まれる希望波信号成分は互いに同相になり、信号ＳII、ＳQQに含まれるイメージ信号成分は互いに逆相になる。
【００２６】
そこで、この中間周波信号ＳII、ＳQQが加算回路２５Ｉに供給され、イメージ信号成分が相殺されて希望波信号成分だけを有する第２中間周波信号Ｓ2Iが取り出される。
【００２７】
また、第２局部発振回路３６からの第２局部発振信号ＳLO2Q、ＳLO2Iが、ミキサ回路２４ＩＱ、２４ＱＩに供給され、ミキサ回路２４ＩＱ、２４ＱＩにおいて、中間周波信号Ｓ1I、Ｓ1Qは、中間周波数が０の第２中間周波信号ＳIQ、ＳQIに周波数変換される。この場合、例えば、中間周波信号ＳIQ、ＳQIに含まれる希望波信号成分は互いに逆相になり、信号ＳIQ、ＳQIに含まれるイメージ信号成分は互いに同相になる。
【００２８】
そこで、この中間周波信号ＳIQ、ＳQIが減算回路２５Ｑに供給され、イメージ信号成分が相殺されて希望波信号成分だけを有する第２中間周波信号Ｓ2Qが取り出される。なお、この場合、中間周波信号Ｓ2I、Ｓ2Qは、それらの中間周波数は互いに０であるが、位相は互いに90°異なり、Ｉ軸およびＱ軸の直交信号である。
【００２９】
続いて、これら中間周波信号Ｓ2I、Ｓ2Qが、帯域外の不要な信号成分を除去するためのローパスフィルタ２６Ｉ、２６Ｑを通じて復調回路２７に供給される。この復調回路２７は、ＩＳＤＢ−Ｔの受信時には、そのＩＳＤＢ−Ｔの送信時の変調処理に対応して、複素フーリエ変換、周波数デインターリーブ、タイム・デインターリーブ、複数のチャンネルのうちの目的とするチャンネルのデジタルオーディオデータの選択、エラー訂正およびデータ伸長などのデコード処理を行うものである。
【００３０】
したがって、デコーダ回路２７Ｄからは、複数の番組（チャンネル）のうちの目的とする番組のデジタルオーディオデータが取り出される。そして、このデジタルオーディオデータがＤ／Ａコンバータ回路２８に供給されてステレオのオーディオ信号Ｌ、Ｒが取り出される。
【００３１】
また、このとき、アンプ２２Ｉ、２２Ｑからの中間周波信号Ｓ1I、Ｓ1QがＡＧＣ検波回路３５に供給されてＡＧＣ電圧Ｖ35が形成され、このＡＧＣ電圧Ｖ35が可変利得アンプ２２Ｉ、２２Ｑに利得の制御信号として供給される。
【００３２】
さらに、ミキサ回路１５Ｉ、１５Ｑからの中間周波信号Ｓ1I、Ｓ1QがＡＧＣ検波回路３３に供給されて遅延ＡＧＣ電圧Ｖ33が形成され、このＡＧＣ電圧Ｖ33が加算回路３４に供給されるとともに、ＡＧＣ電圧Ｖ35が加算回路３４に供給される。そして、加算回路３４からはＡＧＣ電圧Ｖ33、Ｖ35の加算電圧Ｖ34が取り出され、この電圧Ｖ34が可変利得アンプ１３に利得の制御信号として供給される。
【００３３】
したがって、ＡＧＣ電圧Ｖ34により同調回路１２からの受信信号ＳRXに対してＡＧＣが行われるとともに、ＡＧＣ電圧Ｖ35によりバンドパスフィルタ１７Ｉ、１７Ｑからの中間周波信号Ｓ1I、Ｓ1Qに対してＡＧＣが行われる。
【００３４】
〔ＦＭ受信機としての構成および動作〕
ＦＭ放送の受信時には、図１および図２の受信回路は、ダブルスーパーヘテロダイン方式の受信回路の構成および動作となる。すなわち、ＦＭ放送の放送波がアンテナ１１により受信され、この受信信号が電子同調方式のアンテナ同調回路１２に供給され、例えば図３Ｃに示すように、目的とするキャリア周波数ｆRXの受信信号ＳRXが取り出され、この信号ＳRXがＡＧＣ用の可変利得アンプ１３および電子同調方式の段間同調回路１４を通じて第１ミキサ回路１５Ｉ、１５Ｑに供給される。
【００３５】
また、ＰＬＬ３１において所定の周波数の発振信号が形成され、この発振信号が分周回路３２に供給され、図３Ｃに示すように、受信信号ＳRXのキャリア周波数ｆRXよりも例えば150 ｋHzだけ低く、かつ、位相が互いに90°異なる２つの信号ＳLO1I、ＳLO1Qに分周され、この信号ＳLO1I、ＳLO1Qがミキサ回路１５Ｉ、１５Ｑに第１局部発振信号として供給される。
【００３６】
こうして、ミキサ回路１５Ｉ、１５Ｑにおいて、受信信号ＳRXは、図３Ｄに示すように、中心周波数（中間周波数）が150 ｋHzで、互いに90°の位相差を有する第１中間周波信号Ｓ1I、Ｓ1Qに周波数変換される。
【００３７】
また、このとき、ＰＬＬ３１から、そのＶＣＯの可変容量ダイオードに供給される制御電圧の一部が取り出され、この制御電圧が同調回路１２、１４に同調電圧として供給され、受信信号ＳRXに対する同調が実現される。
【００３８】
そして、ミキサ回路１５Ｉ、１５Ｑからの中間周波信号Ｓ1I、Ｓ1Qが、ローパスフィルタ１６Ｉ、１６Ｑを通じてバンドパスフィルタ１７Ｉ、１７Ｑに供給される。このバンドパスフィルタ１７Ｉ、１７Ｑは例えば図３Ｄに示すように、中間周波信号Ｓ1I、Ｓ1Qを通過させる特性を有し、中間周波フィルタとして作用するものである。したがって、中間周波信号Ｓ1I、Ｓ1Qは、フィルタ１７Ｉ、１７Ｑにおいて、隣接妨害波信号のように帯域外の不要な信号成分が除去されてフィルタ１７Ｉ、１７Ｑから取り出される。
【００３９】
続いて、このフィルタ１７Ｉ、１７Ｑから取り出された中間周波信号Ｓ1I、Ｓ1Qが、ＦＭ放送の受信時にはアナログ側接点Ａに接続されているスイッチ回路２１Ｉ、２１Ｑを通じ、さらに、ＡＧＣ用の可変利得アンプ２２Ｉ、２２Ｑを通じてＡ／Ｄコンバータ回路２４Ｉ、２４Ｑに供給されてデジタル中間周波信号Ｓ1I、Ｓ1QにＡ／Ｄ変換される。
【００４０】
そして、このＡ／Ｄ変換後の信号Ｓ1I、Ｓ1Qが第２ミキサ回路（２４ＩＩ、２４ＩＱ）、（２４ＱＱ、２４ＱＩ）に供給される。また、第２局部発振回路３６において、所定の周波数、例えば第１中間周波数150 ｋHzに等しく、位相が互いに90°異なる第２局部発振信号ＳLO2I、ＳLO2Qが形成され、これら信号ＳLO2I、ＳLO2Qが、ミキサ回路２３ＩＩ、２３ＱＱに供給される。
【００４１】
したがって、ミキサ回路２４ＩＩ、２４ＱＱにおいて、中間周波信号Ｓ1I、Ｓ1Qは、ベースバンドの信号、すなわち、中間周波数が０の第２中間周波信号ＳII、ＳQQに周波数変換される。なお、このとき、例えば、中間周波信号ＳII、ＳQQに含まれる希望波信号成分は互いに同相になり、信号ＳII、ＳQQに含まれるイメージ信号成分は互いに逆相になる。
【００４２】
そこで、この中間周波信号ＳII、ＳQQが加算回路２５Ｉに供給され、イメージ信号成分が相殺されて希望波信号成分だけを有する第２中間周波信号Ｓ2Iが取り出される。
【００４３】
また、第２局部発振回路３６からの第２局部発振信号ＳLO2Q、ＳLO2Iが、ミキサ回路２４ＩＱ、２４ＱＩに供給され、ミキサ回路２４ＩＱ、２４ＱＩにおいて、中間周波信号Ｓ1I、Ｓ1Qは、中間周波数が０の第２中間周波信号ＳIQ、ＳQIに周波数変換される。この場合、例えば、中間周波信号ＳIQ、ＳQIに含まれる希望波信号成分は互いに逆相になり、信号ＳIQ、ＳQIに含まれるイメージ信号成分は互いに同相になる。
【００４４】
そこで、この中間周波信号ＳIQ、ＳQIが減算回路２５Ｑに供給され、イメージ信号成分が相殺されて希望波信号成分だけを有する第２中間周波信号Ｓ2Qが取り出される。なお、この場合、中間周波信号Ｓ2I、Ｓ2Qは、それらの中間周波数は互いに０であるが、位相は互いに90°異なり、すなわち、Ｉ軸およびＱ軸の直交信号である。
【００４５】
続いて、これら中間周波信号Ｓ2I、Ｓ2Qが、ローパスフィルタ２６Ｉ、２６Ｑを通じて復調回路２７に供給され、その一部を兼用することによりＦＭ放送におけるステレオのオーディオ信号がデジタル信号の状態で復調され、この信号がＤ／Ａコンバータ回路２８に供給されてＦＭ放送におけるオーディオ信号Ｌ、Ｒが取り出される。
【００４６】
また、このとき、回路３３〜３５によりＩＳＤＢ−Ｔの受信時と同様にＡＧＣ電圧Ｖ34、Ｖ35が形成されてＡＧＣが実行される。
【００４７】
〔ＩＳＤＢ−ＴおよびＦＭ放送に共通の構成〕
ローパスフィルタ１６Ｉ、１６Ｑおよびバンドパスフィルタ１７Ｉ、１７Ｑは、抵抗器、コンデンサおよびオペアンプを有するアクティブフィルタ回路により構成される。
【００４８】
また、図１に示す回路が、同調回路１２、１４およびＰＬＬ３１のＶＣＯの共振回路を除いて１チップＩＣ化され、図２に示す回路も、第２局部発振回路３６の共振回路を除いて１チップＩＣ化される。
【００４９】
〔まとめ〕
図１および図２の受信回路は狭帯域ＩＳＤＢ−ＴおよびＦＭ放送を受信することができるが、狭帯域ＩＳＤＢ−Ｔの受信はダイレクトコンバージョン方式としているので、原理的にイメージ信号を生じることがなく、したがって、必要なイメージ妨害特性を得ることができる。また、隣接妨害波信号はローパスフィルタ１６Ｉ、１６Ｑにより除去することができる。
【００５０】
さらに、ＦＭ放送の受信は、ダブルスーパーヘテロダインにおける２回の直交周波数変換によりイメージ信号成分を除去しているので、必要なイメージ妨害特性を得ることができる。また、隣接妨害波信号はバンドパスフィルタ１７Ｉ、１７Ｑにより除去することができる。したがって、狭帯域ＩＳＤＢ−ＴおよびＦＭ放送のどちらも、イメージ妨害特性および隣接妨害特性に優れた受信を行うことができる。
【００５１】
また、ダイレクトコンバージョン処理あるいはダブルスーパーヘテロダイン処理により狭帯域ＩＳＤＢ−ＴあるいはＦＭ放送の受信時のイメージ妨害特性を改善しているので、上述のように中間周波数を低くすることができ、したがって、中間周波フィルタ用のフィルタ１６Ｉ、１６Ｑ、１７Ｉ、１７Ｑを含んで受信回路をＩＣ化することができる。しかも、ＩＣ化するとき、ほとんどの回路を共用することができるので、小型化ができるとともに、低価格化ができる。
【００５２】
さらに、狭帯域ＩＳＤＢ−Ｔの受信時には、ダイレクトコンバージョン方式により狭帯域ＩＳＤＢ−Ｔの受信を行うので、アンプ２２Ｉ、２２Ｑから出力される中間周波信号Ｓ1T、Ｓ1Qに直流オフセットを生じるはずであるが、積分回路１９Ｉ、１９Ｑおよび減算回路１８Ｉ、１８Ｑによりその直流オフセットをキャンセルしているので、直流オフセットによる問題を生じることがない。
【００５３】
また、ＦＭ放送の受信時には、ダブルスーパーヘテロダイン方式によりＦＭ放送の受信を行うので、ダイレクトコンバージョン方式の場合のように、直流増幅や直流オフセットについて考慮する必要がない。
【００５４】
なお、上述において、ＦＭ放送の受信時に第１ミキサ回路１５Ｉ、１５Ｑから出力される第１中間周波信号Ｓ1I、Ｓ1Qを、ローパスフィルタ１６Ｉ、１６Ｑを通じることなくバンドパスフィルタ１７Ｉ、１７Ｑに供給することができる。あるいはＦＭ放送の受信時に第１ミキサ回路１５Ｉ、１５Ｑから出力される第１中間周波信号Ｓ1I、Ｓ1Qが、ローパスフィルタ１６Ｉ、１６Ｑを通じるときには、バンドパスフィルタ１７Ｉ、１７Ｑをハイパスフィルタとし、これとローパスフィルタ１６Ｉ、１６Ｑとによりバンドパスフィルタを構成することもできる。
【００５５】
また、ＦＭ放送と狭帯域ＩＳＤＢ−Ｔとで放送の周波数帯が大きく異なるときには、同調回路１２→アンプ１３→同調回路１４の信号ラインを、それぞれの放送に対応して設け、切り換えて使用することもできる。
【００５６】
さらに、上述においては、アナログ音声放送およびデジタル音声放送としてＦＭ放送および狭帯域ＩＳＤＢ−Ｔを受信する場合であるが、アナログ音声放送としてＡＭ放送を受信する場合や、デジタル音声放送としてＯＦＤＭ、ＣＤＭなどの帯域拡散方式の放送あるいはＱＰＳＫ、ＱＡＭ、ＡＰＳＫなどの変調方式の放送を受信する場合にも、この発明を適用することができる。また、放送される信号もオーディオ信号Ｌ、Ｒでなくてもよい。
【００５７】
【発明の効果】
この発明によれば、アナログ放送やデジタル放送を受信するとき、必要なイメージ妨害特性および隣接妨害波特性を得ることができる。また、中間周波数を低くすることができ、中間周波フィルタを含んで受信回路をＩＣ化することができる。しかも、ＩＣ化するとき、ほとんどの回路を共用することができ、小型化ができるとともに、低価格化ができる。
【００５８】
さらに、アナログ放送の受信時に、直流増幅や直流オフセットについて考慮する必要がない。また、デジタル放送の受信時に、直流オフセットによる問題を生じることがない。
【図面の簡単な説明】
【図１】この発明の一形態の一部を示す系統図である。
【図２】この発明の一形態の続きを示す系統図である。
【図３】この発明を説明するための図である。
【符号の説明】
１１…アンテナ、１２…アンテナ同調回路、１３…可変利得アンプ、１４…段間同調回路、１５Ｉおよび１５Ｑ…第１ミキサ回路、１６Ｉおよび１６Ｑ…ローパスフィルタ、１７Ｉおよび１７Ｑ…バンドパスフィルタ、１８Ｉおよび１８Ｑ…加算回路、１９Ｉおよび１９Ｑ…積分回路、２１Ｉおよび２１Ｑ…スイッチ回路、２２Ｉおよび２２Ｑ…可変利得アンプ、２３Ｉおよび２３Ｑ…Ａ／Ｄコンバータ回路、２４ＩＩ〜２４ＱＱ…第２ミキサ回路、２５Ｉ…加算回路、２５Ｑ…減算回路、２６Ｉおよび２６Ｑ…ローパスフィルタ、２７…復調回路、２８…Ｄ／Ａコンバータ回路、３１…ＰＬＬ、３２…分周回路、３３…ＡＧＣ検波回路、３４…加算回路、３５…ＡＧＣ検波回路、３６…第２局部発振回路
【図１】
0004123320.tif 000002
【図２】
0004123320.tif 000003
【図３】
0004123320.tif 000004